(57)【要約】【課題】液晶表示部分等に使用者の汗や油がつくことがなく、長電話においても耳への負担を少なくする。【解決手段】装置本体部１と液晶表示部２０からなり装置本体部１の下端にマイク３０を有し液晶表示部２０の上端にスピーカを有する携帯電話装置において、液晶表示部２０の上部に一端を取り付けた回転自在なヒンジ６０と、ヒンジ６０の他端に取り付けたスピーカ部１０と、スピーカ部１０の内側に装着されたスピーカ４０とを含んで構成される。【選択図】　　　図１
2004080683.tif 000002
【特許請求の範囲】
【請求項１】
装置本体部と液晶表示部からなり前記装置本体部の下端にマイクを有し前記液晶表示部の上端にスピーカを有する携帯電話装置において、前記液晶表示部の上部に一端を取り付けた回転自在な第一のヒンジと、前記第一のヒンジの他端に取り付けたスピーカ部と、前記スピーカ部の内側に装着されたスピーカとを含むことを特徴とする携帯電話装置。
【請求項２】
前記スピーカ部の外側に柔軟かつ音波伝達性の良いカバーを取り付けた請求項１記載の携帯電話装置。
【請求項３】
前記カバーの素材が有機系の微細な糸を粗に紡織したものである請求項２記載の携帯電話装置。
【請求項４】
前記第一のヒンジに手動角度設定した状態を維持する維持機構を内蔵させた請求項１記載の携帯電話装置。
【請求項５】
前記本体部の上端と前記液晶表示部の下端とを第ニのヒンジで連結した請求項１記載の携帯電話装置。
【請求項６】
液晶表示部の上部にスピーカを埋め込み、この埋め込み部分をくの字型に湾曲させたことを特徴とする携帯電話装置。
【発明の詳細な説明】
【０００１】
【発明の属する技術分野】
本発明は携帯電話装置、特に、スピーカ部が曲げられる、または曲がっている携帯電話装置に関する。
【０００２】
【従来の技術】
従来の携帯電話装置（折りたたみ携帯電話装置も含めて）のスピーカ部分は、液晶表示部分から平ら状に続いている為、電話使用時にスピーカ部分を耳に当てた場合、液晶表示部分等も顔と接する事になり、汗や顔の油がついてしまう。その為、電話機能使用後はその都度、液晶表示部分を拭く行為を行っていた。
【０００３】
また、上述のスピーカ部は、本体と一体構造となっているので、耳にやさしく聞こえやすいものではなかった。
【０００４】
これらの問題が部分的に回避されたものとしては、同一出願人グループによる特開平７−７４８０７号公報に示される技術がある。
【０００５】
従来の携帯電話装置について図面を参照して詳細に説明する。
【０００６】
図５（ａ），（ｂ）は第１の従来例を示す斜視図である。図５（ａ）はは非通話時の状態、図５（ｂ）は通話時の状態を示す斜視図である。
【０００７】
図５（ａ）に示すように、携帯電話機本体１０１にはアンテナ１０２が引き出し可能に収納されており、上部にはヒンジ部１０７によって受話器１０３を搭載した受話部１０８が取りつけられ、下部には送話器１０４が設けられている。通話を行っていない時は、アンテナ１０２は携帯電話機本体１０１に収納され、受話部１０８も携帯電話機本体１０１にコンパクトに密着している。通話時には図５（ｂ）に示すように、携帯電話機本体１０１からアンテナ１０２を引き出すとともに、ヒンジ１０７の回転により、受話部１０８を携帯電話機本体１０１から人体の耳側に引き起こすことができる。
【０００８】
図６（ａ），（ｂ）は第２の従来例を示す斜視図である。図６（ａ）は非通話時の状態、図６（ｂ）は通話時の状態を示す斜視図である。この携帯電話機は携帯電話機本体２０１にアンテナ２０２、上部に受話器２０３、下部に送話器２０４を備え、通話を行っていない時は、アンテナ２０２は携帯電話機本体２０１に収納され、また、受話器２０３も携帯電話機本体２０１にコンパクトに収納されている。ところが、通話時には図６（ｂ）に示すように、アンテナ２０２を引き出すとともに、受話器２０３を内蔵した受話部２０８自体も携帯電話機本体２０１から突出させるようになっている。したがって、受話器２０３を耳に密着させると、携帯電話機本体２０１の上部が耳から離れるので、アンテナ２０２も人体頭部から必然的に離れることになる。
【０００９】
なお、アンテナ２０２および受話器２０３は手動で引き出しバネ状のツメで携帯電話機本体２０１に固定するようにしてもよいが、アンテナ２０２を引き出すことによって受話器２０３を自動的に携帯電話機本体２０１から人体耳側に突出させる機構を備えることもできる。
【００１０】
【発明が解決しようとする課題】
上述した従来の携帯電話装置は、通話時にアンテナを頭部から引き離すことにより、アンテナから送信される電波の放射パターンがいびつになったり、特定の方角の電波が受信しにくくなったり、それによって引き起こされる感度の劣化のおそれを緩和することを目的としているため、電話使用時にスピーカ部分を耳に当てた場合、液晶表示部分等も顔と接する事になり、汗や顔の油がついてしまうので、電話機能使用後はその都度、液晶表示部分を拭く行為が必要であり、また、上述のスピーカ部は、本体と一体構造となっているので、耳にやさしく聞こえやすいものではないという問題があった。
【００１１】
【課題を解決するための手段】
第１の発明の携帯電話装置は、装置本体部と液晶表示部からなり前記装置本体部の下端にマイクを有し前記液晶表示部の上端にスピーカを有する携帯電話装置において、前記液晶表示部の上部に一端を取り付けた回転自在な第一のヒンジと、前記第一のヒンジの他端に取り付けたスピーカ部と、前記スピーカ部の内側に装着されたスピーカとを含んで構成される。
【００１２】
第２の発明の携帯電話装置は、第１の発明において、前記スピーカ部の外側に柔軟かつ音波伝達性の良いカバーを取り付ける。
【００１３】
第３の発明の携帯電話装置は、第２の発明において、前記カバーの素材が有機系の微細な糸を粗に紡織したものである。
【００１４】
第４の発明の携帯電話装置は、第１の発明において、前記第一のヒンジに手動角度設定した状態を維持する維持機構を内蔵させる。
【００１５】
第５の発明の携帯電話装置は、第１の発明において、前記本体部の上端と前記液晶表示部の下端とを第ニのヒンジで連結する。
【００１６】
第６の発明の携帯電話装置は、液晶表示部の上部にスピーカを埋め込み、この埋め込み部分をくの字型に湾曲させる。
【００１７】
【発明の実施の形態】
次に、本発明について図面を参照して詳細に説明する。
【００１８】
図１は本発明の第１の実施形態を示す側面図である。図１に示す携帯電話装置は、装置本体部１と液晶表示部２０からなり、装置本体部１の下端にマイク３０を有し前記液晶表示部２０の上端にスピーカを有する携帯電話装置において、液晶表示部２０の上部に一端を取り付けた回転自在な第一のヒンジ６０と、第一のヒンジ６０の他端に取り付けたスピーカ部１０と、スピーカ部１０の内側に装着されたスピーカ４０とを含んで構成される。
【００１９】
図示のように、装置使用時にはスピーカ部１０を折り曲げて耳４０に当てるだけであるから、通話時に液晶ガラス面その他の部分に顔面の汗や油が付着しないので、通話状態から文字，画像通信に切り替えた場合にも液晶ガラス面の清掃は不要である。
【００２０】
スピーカ部１０の外側に柔軟かつ音波伝達性の良いカバー１１を取り付ける。カバー１１の素材は、例えば、有機系の微細な糸を粗に紡織したものである。カバー１１をつけると、防塵効果も期待でき、耳７０の形状に順応できるようになる。すなわち、スピーカ部１０の耳あたりが良くなり、長電話して耳への負担がすくない。
【００２１】
第一のヒンジ６０には、スピーカ部１０を手動角度設定した状態を維持する維持機構を内蔵しており、装置本体部１の上端と液晶表示部２０の下端とを第２のヒンジ５０で連結してある。ヒンジ５０，６０の動作機構は、片手でも角度がスムースに変更き、希望の角度になった場合に止めておくことができるような、適度の摩擦力があるものを選択する。
【００２２】
図２は図１の装置の不使用時状態を示す側面図である。ヒンジ５０により液晶表示部２０は装置本体部１に向けて折畳まれ、ヒンジ６０によりスピーカ部１０は液晶表示部２０と同一線上に並べられる。
【００２３】
図３は図１の装置の一部破断斜視図である。スピーカ部１０は、略直角に曲げられ、明るい屋外等で、液晶画面を見る場合において、不要光に対する遮光効果が期待できる。
【００２４】
図４は本発明の第２の実施形態を示す側面図である。ヒンジ６０が省略され、液晶表示部２０ｂとスピーカ部１０ｂとが一体化されている。スピーカ部１０ｂは、平均的使用角度に曲げられている。装置本体部１ｂは、ヒンジ５０ｂにより液晶表示部２０ｂの先端のスピーカ部１０ｂが畳まれても支障のないように、一端が斜めに切り落とされている。
【００２５】
なお、ヒンジ５０ｂをも省略して、スピーカ部１０ｂと液晶表示部２０ｂと装置本体部１ｂとを直結した、非折畳み型の携帯電話装置にも本発明は適用できる。
【００２６】
【発明の効果】
本発明の携帯電話装置は、ヒンジを追加しスピーカ部の取り付け角度を単独に調整できるようにしたので、電話機能使用時に携帯電話装置と使用者の接触部分が、必要最小限のスピーカ部分のみとなり、液晶表示部分等に使用者の汗や油がつくことがなく、スピーカ部分に防塵効果のある耳あたりの良い部材でできたカバーを取り付ける事で長電話においても耳への負担が少ないという効果がある。
【図面の簡単な説明】
【図１】本発明の第１の実施形態を示す側面図である。
【図２】図１の装置の不使用時状態を示す側面図である。
【図３】図１の装置の一部破断斜視図である。
【図４】本発明の第２の実施形態を示す側面図である。
【図５】（ａ），（ｂ）は第１の従来例を示す斜視図である。
【図６】（ａ），（ｂ）は第２の従来例を示す斜視図である。
【符号の説明】
１　　装置本体部
１０　　スピーカ部
１１　　カバー
２０　　液晶表示部
３０　　マイク
４０　　スピーカ
５０　　ヒンジ
６０　　ヒンジ
【図１】
2004080683.tif 000003
【図２】
2004080683.tif 000004
【図３】
2004080683.tif 000005
【図４】
2004080683.tif 000006
【図５】
2004080683.tif 000007
【図６】
2004080683.tif 000008